(57)【特許請求の範囲】
【請求項１】
本体ケースに電動で回転される駆動軸を軸支し、この駆動軸に、マッサージ体となる多数の刺激用突部を有する回転ローラと、互いに相反する方向に傾斜した一対の揉みローラを夫々取り付け、駆動軸の回転により、回転ローラ上に置いた足裏に刺激用突部により刺激を与えると共に、一対の揉みローラ間に挿入した足を挟み揉みするものにおいて、本体ケースの前記回転ローラの手前側には、回転ローラ上に置いた足裏の踵部分と当接して、踵部分に刺激を与えることのできる刺激体を設け、該刺激体は、本体ケースに電動ではなく手動で回転できるように支持された手動ローラであることを特徴とするマッサージ機。
【請求項２】
前記刺激体は、本体ケースに着脱自在に装着されている請求項１記載のマッサージ機。
【請求項３】
前記回転ローラの最大外径点と刺激体の最高点とは刺激体の最高点の方が低くなるようにすると共に、回転ローラの最大外径点と刺激体の最高点を結ぶ線と本体ケースの設置面とのなす角度が、５度乃至４０度の範囲とした請求項１又は請求項２に記載のマッサージ機。
【発明の詳細な説明】
【０００１】
【発明の属する技術分野】
本発明は、本体ケースに電動で回転される駆動軸を軸支し、この駆動軸に、例えば多数の刺激用突部を有する回転ローラからなるマッサージ体を取り付けて、駆動軸の回転によりマッサージ体を作動させて、マッサージ体と接する例えば足裏等の被施療体をマッサージするマッサージ機に関する。
【０００２】
【従来の技術】
従来、この種マッサージ機として特開平１１−２６７１６８号公報には、マッサージ体として、モータにより回転される駆動軸の中央部に取り付けられた相反する方向に傾斜する一対の揉みローラと、揉みローラの両側に取り付けられた多数の刺激用突部を有する回転ローラとを備えたものが開示されている。そして足裏等の被施療体を一対の揉みローラ間に挿入することにより揉んだり、回転ローラ上に置くことにより多数の刺激用突部より刺激を得てマッサージするものである。
【０００３】
かかるものでは、わずかな大きさの部位を軽くマッサージする場合にも、必ず電源を入れてモータを駆動しなければならず、このような場合操作が面倒であって、結局のところマッサージしないことがあった。また、被施療体である足裏全体を一度にマッサージできるようにするためには、マッサージ体である回転ローラや揉みローラの外径を大きくしなけらばならず、現実的ではなかった。
【０００４】
【発明が解決しようとする課題】
本発明は、わずかな大きさの部位を軽くマッサージする場合に、わざわざ電源を入れてモータを駆動しなくても簡単にマッサージすることができ、また足裏等の被施療体を広範囲にわたって同時にマッサージすることのできるマッサージ機を提供することを課題とする。
【０００５】
【課題を解決するための手段】
本発明は、本体ケースに電動で回転される駆動軸を軸支し、この駆動軸に、マッサージ体となる多数の刺激用突部を有する回転ローラと、互いに相反する方向に傾斜した一対の揉みローラを夫々取り付け、駆動軸の回転により、回転ローラ上に置いた足裏に刺激用突部により刺激を与えると共に、一対の揉みローラ間に挿入した足を挟み揉みするものにおいて、本体ケースの前記回転ローラの手前側には、回転ローラ上に置いた足裏の踵部分と当接して、踵部分に刺激を与えることのできる刺激体を設け、該刺激体は、本体ケースに電動ではなく手動で回転できるように支持された手動ローラであることを特徴とする。
【０００６】
かかる構成により、回転ローラや揉みローラからなるマッサージ体を駆動しなくとも、本体ケースに設けた刺激体に踵等わずかな大きさの部位の被施療体を当てて被施療体の方を動かすことによってその部分をマッサージすることができ、わずかな大きさの部位を軽くマッサージする場合に大変便利である。特に回転ローラ上に足裏を置いて足裏をマッサージする場合、踵部に刺激体が当接し、足裏のつま先側を回転ローラの刺激用突部でマッサージしながら、踵を微妙に前後に動かすことによって、踵部分もマッサージでき、足裏の広範囲にわたってマッサージできる。この際、刺激体は手動ローラからなるので、踵を前後に動かしやすい。
【０００８】
また、刺激体は、本体ケースに着脱自在に装着することにより、刺激体を本体ケースより取り外すことにより、刺激体を手で持ってあるいは床に置いて任意の箇所をマッサージすることができる。
【００１１】
また、回転ローラの手前側に前記刺激体を設け、回転ローラの最大外径点と刺激体の最高点とは刺激体の最高点の方が低くなるようにすると共に、回転ローラの最大外径点と刺激体の最高点を結ぶ線と本体ケースの設置面とのなす角度を５度乃至４０度の範囲に設定する。
【００１２】
かかる構成により、マッサージ機を床面に置いて被施療体である足裏を回転ローラ上に載せた場合、踵の部分を刺激体上に無理なく自然な姿勢で載せることができ、足裏を広範囲にわたってマッサージするのに好都合である。
【００１３】
【発明の実施の形態】
本発明のマッサージ機を一実施例として示した図１乃至図３に基づき説明する。１は平面形状がコ字型をした合成樹脂製の本体ケースで、上下２分割可能に構成されている。この本体ケース１の対峙する取付ベース２、３間にマッサージ体となる後述する揉みローラと回転ローラが装備される。本体ケース１の取付ベース２、３を連結する部分はハンドル４となる。５は本体ケースを床面Ｆに設置するための脚で、本体ケース１の下面四隅にある。
【００１４】
取付ベース３内には、モータ６が配設されている。モータ６は防振用ゴム７を介して取付金具８により取付ベース３に固定される。このモータ６の駆動力は、ウォーム１２、ウォームホイール１１の減速装置を介して駆動軸９に伝達される。１０は減速装置を収納するギアケースである。ウォームホイール１１は駆動軸９に固定され、ウォーム１２は、モータ６の軸に連結固定されている。１３はモータ６を制御するための制御部、１４は電源コードを示す。
【００１５】
前記駆動軸９は取付ベース２、３の対峙壁間に、軸受１５、１５でもって回転自在に支持されている。軸受１５，１５は、上側と下側の本体ケース１間に図示しないが弾性ゴム等の弾性体を介して挟持される。
【００１６】
前記駆動軸９の中央部には、回転ローラ１６が取り付けられている。回転ローラ１６は、駆動軸９に固定された一対の支持筒１７、１７と、この支持筒１７の外側に周設された支持フランジ１８、１８と、この支持フランジ１８、１８間に周方向に等配をなして架設支持された複数本のローラ軸１９とを備え、このローラー軸１９に刺激用の突部となる刺激用玉２０が回転自在に支持されている。２１は刺激用玉２０の位置がずれないようにするためのスペーサで、ローラ軸１９に回転自在に支持されている。ローラ軸１９には、両側の二つの刺激用玉２０、２０と中央の一つのスペーサ２１が支持されたものと、中央の一つの刺激用玉２０と両側の二つスペーサ２１、２１が支持されたものが支持フランジ１８の周方向に交互に配設されている。
【００１７】
駆動軸９の回転により回転ローラ１６が回転し、刺激用玉２０は、自転しながら駆動軸９の周りを公転し、例えば足裏等の被施療体を刺激してマッサージする。
【００１８】
駆動軸９の回転ローラ１６の両外側には夫々、相反する方向に傾斜した一対の揉みローラ２２ａ、２２ｂが取り付けられている。各揉みローラ２２ａ、２２ｂは、駆動軸９に対して回転方向には固定された揉み基台２３と、揉み基台２３の外周に複数の鋼球２４を介して回転自在に装着された遊転部２５から構成される。遊転部２５は、鋼球２４に対する摺動面を夫々有する外側環状押さえ板２６と、内側環状押さえ板２７と、これら両環状押さえ板２６、２７により挟持される弾性体からなる揉み体２８とから構成される。内側環状押さえ板２７には、複数の開口が周方向に配列され、この開口より揉み体２８に形成された弾性突部２９が突出している。３０は両環状押さえ板２６、２７を連結するネジある。
【００１９】
ここで駆動軸９が回転すると、揉み基台２３は回転するが、遊転部２５は、足等の被施療体を一対の遊転部２５、２５間に挿入するなどして負荷が加わった状態になると、鋼球２４の転動を伴って非回転状態を保ち、鋼球２４の摺動面が駆動軸９の軸線と平行でなく傾斜しているので、駆動軸９に対する傾倒角度を変えて、その対向面を接近離反する動作を繰り返す。従って、この間に挟まれた足等の被施療体を挟み揉むことができる。前記突部２９はこの際被施療体を押圧する。
【００２０】
ここで、各一対の揉みローラ２２ａ、２２ｂのうち、外側の揉みローラ２２ａの揉み基台２３は駆動軸９に対しその回転方向のみならず軸方向にも固定されているが、各内側の揉みローラ２２ｂの揉み基台２３は、軸方向には摺動可能になっている。そして、この各内側の揉みローラ２２ｂの揉み基台２３と回転ローラ１６の支持筒１７との間には、揉み基台２３を常時外側へ付勢するコイルスプリング３１が介在されている。図１は各内側の揉みローラ２２ｂが最も外側に位置し、一対の揉みローラ２２ａ、２２ｂ間の間隔が最も狭くなった状態である。
【００２１】
そこで、例えば足を揉みローラ２２ａ、２２ｂ間に入れて揉む場合、荷重（負荷）が揉み体２８に加わり、負荷が大きくなっていくと、初めは揉み体２８の弾性突部２９が圧縮されるが、さらに負荷が大きくなると、内側の揉みローラ２２ｂが弾性体３１に抗して内方（マッサージ機の中心側）へ退避し、一対の揉みローラ２２ａ、２２ｂ間の間隔を拡げる。従って、被施療体である足に過大な圧力が加わることを防止できる。
【００２２】
このことから足幅の広い人でも過大な圧力が加わって痛みを感じるとがなく、快適な揉みマッサージを行うことができる。
【００２３】
また、駆動軸９の一対の各揉みローラ２２ａ、２２ｂ間には、駆動軸９により回転される補助回転ローラ３２が取り付けられ、この補助回転ローラ３２には、球体３３が軸３４により回転自在に取り付けられている。
【００２４】
従って、この球体３３により、例えば一対の揉みローラ２２ａ、２２ｂで足を揉みながら足裏を球体３３により刺激することができる。またこの補助回転ローラ３２は、各内側揉みローラ２２ｂの外側への移動量を規制する役目もする。
【００２５】
上記各揉みローラ２２ａ、２２ｂと回転ローラ１６は布製のカバー３５で覆われている。そして、このカバー３５を介して、足等の被施療体をマッサージ体である揉みローラ２２ａ、２２ｂ間に置いて挟み揉みをしたり、回転ローラ１６上に置いて刺激用玉２０で刺激してマッサージする。
【００２６】
各外側の揉みローラ２２ａと取付ベース２、３との間、及び各内側の揉みローラ２２ｂと回転ローラ１６の間に、カバー３５が巻き込まれないようにするために、揉み基台２３には、夫々サイドカバー３６、３７が取り付けられている。
【００２７】
而して、本体ケース１の上側の回転ローラ１６の手前側には、上記揉みローラ２２ａ、２２ｂや回転ローラ１６からなるマッサージ体とは別に、足等の被施療体に刺激を与えることのできる刺激体５０が取り付けられている。刺激体５０は、上記回転ローラ１６の刺激用玉２０と同じ形状をした３個の手動ローラ５１を有する。
【００２８】
この手動ローラ５１は、駆動軸９と平行な軸５２に回転自在に取り付けられている。軸５２は、その両端を本体ケース１に一体に形成された軸受部５３に着脱自在に保持されている。軸５２を軸受部５３より取り外すことにより、刺激体５０を本体ケース１から取り外せる。５４は手動ローラ５１間の間隔を保持するスペーサで、軸５２に嵌挿されている。本体ケース１の上面は、手動ローラ５１の回転に支障のないように、手動ローラと対面する部分５５が他の部分に比べて低く逃がしてある。
【００２９】
刺激体である手動ローラ５１と回転ローラ１６の関係は、本体ケース１を設置面Ｆに設置した際に、図２に示すように、回転ローラ１６の最大外径点（最高点）と手動ローラ５１の最高点とは手動ローラの最高点の方が低くなるようにすると共に、回転ローラの最大外径点と手動ローラの最高点を結ぶ線と本体ケースの設置面Ｆとのなす角度Ａが、５度乃至４０度の範囲なるように設定されている。
【００３０】
このような刺激体５０を設けることにより、刺激体５０に足等の被施療体を当てて被施療体の方を動かすことによって、手動ローラ５１が回転してその部分をマッサージすることができる。このことは、わずかな大きさの部位を軽くマッサージ場合に、いちいち電源を入れて回転ローラ１６や揉みローラ２２ａ、２２ｂを駆動する必要がなく大変便利である。
【００３１】
また、回転ローラ１６と手動ローラ５１の関係を上記したように設定することによって、被施療体である足裏を回転ローラ１６上に載せた場合、踵の部分を手動ローラ５１上に無理なく自然な姿勢で載せることができ、踵を微妙に前後に動かすことによって、足裏のつま先側を回転ローラ１６でマッサージを行うと同時に、踵の部分は手動ローラ５１でマッサージでき、足裏を広範囲にわたってマッサージできる。
【００３２】
また、刺激体５０は、本体ケース１に対して着脱自在に装着されているので、刺激体５０を本体ケース１より取り外すことにより、刺激体５０を手で持って任意の箇所をマッサージすることができる。この場合、刺激体の手動ローラ５１が軸５２より外れないように、両端にある手動ローラの軸方向の動きを規制する止め輪を軸５２に嵌着するとよい。
【００３３】
刺激体５０の形状は、以上説明した形状以外にも様々考えられる。例えば本体ケース１より取り外した場合に、床面に置いてこの上に足等を載せて使用することができるように、脚を形成してもよい。
【００３５】
図４はモータ６の取り付け方の他の方法を示し、上述の方法は、取付ベース３内に防振用ゴム７を介して取付金具８により固定しているが、図４の方法は、取付金具を廃止して、上下２分割された本体ケース１の上側と下側に、モータ６の端部を挟持する挟持部６１、６２を夫々一体成形し、防振用ゴム７を介してこの挟持部でモータ６の端部を挟持保持するものである。
【００３６】
かかる構成により、組立の簡素化、部品点数の削減、コストの低減が可能になる。
【００３７】
【発明の効果】
本願の発明によれば、わざわざ電源を入れて回転ローラや揉みローラからなるマッサージ体を駆動しなくとも、本体ケースに設けた刺激体に踵等わずかな大きさの部位の被施療体を当てて、被施療体の方を動かすことによってその部分をマッサージすることができ、わずかな大きさの部位を軽くマッサージする場合に大変便利である。特に回転ローラ上に足裏を置いて足裏をマッサージする場合、踵部に刺激体が当接し、足裏のつま先側を回転ローラの刺激用突部でマッサージしながら、踵を微妙に前後に動かすことによって、踵部分もマッサージでき、足裏の広範囲にわたってマッサージできる。この際、刺激体は手動ローラからなるので、踵を前後に動かしやすい。
【００３８】
また、刺激体を、本体ケースに対して着脱自在とすることにより、刺激体を本体ケースより取り外して、刺激体を手で持ってあるいは床面に置いて任意の箇所をマッサージすることができる。
【００３９】
また、回転ローラの手前側に刺激体を設け、回転ローラの最大外径点と刺激体の最高点とは刺激体の最高点の方が低くなるようにすると共に、回転ローラの最大外径点と刺激体の最高点を結ぶ線と本体ケースの設置面とのなす角度を５度乃至４０度の範囲に設定することにより、マッサージ機を床面に置いて被施療体である足裏を回転ローラ上に載せた場合、踵の部分を刺激体上に無理なく自然な姿勢で載せることができ、足裏を広範囲にわたってマッサージするのに好都合である
【図面の簡単な説明】
【図１】本発明のマッサージ機の平面横断面図である。
【図２】同マッサージ機の側面縦断面図である。
【図３】同マッサージ機の平面図である。
【図４】本発明マッサージ機のモータの他の取付方法を示す要部の断面図である。
【符号の説明】
１      本体ケース
９      駆動軸
１６      回転ローラ（マッサージ体）
２０      刺激用玉（刺激用突部）
２２ａ    揉みローラ（マッサージ体）
２２ｂ    揉みローラ（マッサージ体）
５０      刺激体
５１      手動ローラ
【図１】
0003857854.tif 000002
【図２】
0003857854.tif 000003
【図３】
0003857854.tif 000004
【図４】
0003857854.tif 000005